【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
表示ピーク明度と異なる第１の画像ピーク明度に対応する最大ルマ符号を有する入力画像のピクセルの入力色から始めて、前記表示ピーク明度を持つディスプレイの出力画像のピクセルの結果の色を計算するための色変換装置であって、前記色変換装置は、
メタデータ入力部を介して受信された少なくともピクセル輝度範囲に対する少なくとも１つのトーンマッピング関数を含む色処理仕様データから色変換を決定する色変換決定ユニットであって、前記色変換が、その最大ルマ符号に対応して、前記表示ピーク明度及び第１の画像ピーク明度と異なる第２の画像ピーク明度を有する画像の少なくともいくつかのピクセル色の計算を指定することにより、前記第２の画像ピーク明度による前記第１の画像ピーク明度の除算が２より大きな値又は１／２より小さな値となる、色変換決定ユニットと、
前記第１の画像ピーク明度と前記第２の画像ピーク明度との間の表示ピーク明度の位置及び前記第１の画像ピーク明度と前記第２の画像ピーク明度との間の範囲の外側の表示ピーク明度の位置を特定するための尺度を決定する可能尺度決定ユニット、及び、
前記表示ピーク明度、前記尺度、及び前記色変換から、結果的共通乗算係数を決定する結果的乗数決定ユニット、
を備えることにより、前記結果的共通乗算係数を決定する倍率決定ユニットと、を備え、
前記色変換装置は、前記入力色の線形ＲＧＢ色表現に前記結果的共通乗算係数を乗算するスケーリング乗算器をさらに備える、
色変換装置。
【請求項２】
前記入力色の輝度軸に対する方向を決定する方向決定ユニットをさらに備え、前記倍率決定ユニットは、前記方向に沿って前記尺度を位置決めすることにより、前記入力画像のピクセルの輝度から前記出力画像のピクセルの輝度を決定する方向性補間ユニットを備える、請求項１に記載の色変換装置。
【請求項３】
前記倍率決定ユニットは、第２の色処理仕様データから調節パラメータを取得し、前記表示ピーク明度の前記位置と異なる前記尺度上の位置に対応する前記結果的共通乗算係数を計算し、この位置の違いは、前記調節パラメータの値に基づく、請求項１又は２に記載の色変換装置。
【請求項４】
前記倍率決定ユニットは、最小値と最大値との間の少なくとも１つの入力パラメータの関数としての前記尺度上の正規化位置を出力として与える単調関数を適用することによって、前記異なる位置を決定する、請求項３に記載の色変換装置。
【請求項５】
前記倍率決定ユニットは、前記入力画像のピクセル色の第１の輝度範囲の境界を第２の輝度範囲から画定する少なくとも１つの輝度値を取得し、前記倍率決定ユニットは、前記第１及び前記第２の輝度範囲の少なくとも一方について、前記結果的共通乗算係数を計算する、請求項１乃至４の何れか一項に記載の色変換装置。
【請求項６】
前記入力画像のオブジェクトの色を解析し、そこから前記結果的共通乗算係数の計算に用いられる前記表示ピーク明度及び調節パラメータのうちの少なくとも１つの値を決定する、画像解析ユニットを含む、請求項１乃至５の何れか一項に記載の色変換装置。
【請求項７】
高ダイナミックレンジ画像の符号化を生成するシステムであって、
前記高ダイナミックレンジ画像を受信する入力部と、
前記高ダイナミックレンジ画像を当該高ダイナミックレンジ画像のマスター等級に変換する画像変換器と、
請求項１乃至６の何れか一項に記載の色変換装置であって、前記マスター等級である入力画像のピクセルの入力色から始めて、色変換を適用することにより、第２の等級分けされた画像のピクセルの結果的色を計算する色変換装置であって、
少なくとも１つのパラメータを取得し、当該パラメータ及び色変換を用いて、前記マスター等級に対応するピーク明度及び前記第２の等級分けされた画像に対応するピーク明度と異なるピーク明度に対応する第２の画像を計算する、色変換装置と、
前記マスター等級と併せて前記第２の等級分けされた画像を、画像蓄積及び／又は送信に適し、前記マスター等級のピクセル色データ、前記色変換を符号化するメタデータ、及び前記少なくとも１つのパラメータを含むフォーマット済高ダイナミックレンジ画像へと変換する信号フォーマットユニットと、
前記フォーマット済高ダイナミックレンジ画像を出力する画像出力部と、
を備えた、システム。
【請求項８】
人間のグレーダが前記少なくとも１つのパラメータを指定することを可能にするユーザインターフェースと、前記表示ピーク明度を有するディスプレイを接続するための画像出力部とを備えた、請求項７に記載の高ダイナミックレンジ画像の符号化を生成するシステム。
【請求項９】
レンダリングする色を決定するシステムであって、請求項１乃至６の何れか一項に記載の色変換装置と、当該色変換装置により使用される前記尺度、調節パラメータ、方向、又は前記表示ピーク明度のうちの少なくとも１つを変更する少なくとも１つのユーザ指定パラメータを入力するユーザインターフェースとを備えた、システム。
【請求項１０】
表示ピーク明度と異なる第１の画像ピーク明度に対応する最大ルマ符号を有する入力画像のピクセルの線形３成分の入力色から始めて前記表示ピーク明度を持つディスプレイに対する出力画像のピクセルの結果的色を計算する方法であって、前記方法は、
少なくともピクセル輝度範囲に対する少なくとも１つのトーンマッピング関数を含む色処理仕様データから色変換を決定するステップであって、前記色変換が、その最大ルマ符号に対応して、表示ピーク明度及び第１の画像ピーク明度と異なる第２の画像ピーク明度を有する画像の少なくともいくつかのピクセル色の前記計算を指定することにより、前記第２の画像ピーク明度による前記第１の画像ピーク明度の除算が１．５より大きな値又は１／１．５より小さな値のいずれかとなる、ステップと、
前記第１の画像ピーク明度と前記第２の画像ピーク明度との間の表示ピーク明度の位置及び前記第１の画像ピーク明度と前記第２の画像ピーク明度との間の範囲の外側の表示ピーク明度の位置を特定するための尺度を決定し、
前記表示ピーク明度、前記尺度、及び前記色変換から、結果的共通乗算係数を決定することによって、
前記結果的共通乗算係数を決定するステップと、を含み、
前記方法は、
線形３成分の入力色に前記結果的共通乗算係数を乗算して前記結果的色を求めるステップをさらに含む、
方法。
【請求項１１】
前記入力色の輝度軸に対する方向を決定するステップをさらに含み、前記結果的共通乗算係数を決定するステップが、前記方向に沿って前記尺度を位置決めすることにより、前記入力画像のピクセルの輝度から前記出力画像のピクセルの輝度を決定するステップを含む、請求項１０に記載の方法。
【請求項１２】
第２の色処理仕様データから調節パラメータを取得するステップと、前記表示ピーク明度の前記位置と異なる前記尺度上の位置に対応する前記結果的共通乗算係数を計算するステップとをさらに含み、この位置の違いが前記調節パラメータの値に基づく、請求項１０又は１１に記載の方法。
【請求項１３】
前記入力画像のピクセル色の第１の輝度範囲の境界を第２の輝度範囲から画定する少なくとも１つの輝度値を求めるステップと、前記第１及び前記第２の輝度範囲の少なくとも一方について、前記結果的共通乗算係数を計算するステップと、を含む、請求項１０乃至１２の何れか一項に記載の方法。
【請求項１４】
高ダイナミックレンジシーンのマスター等級である主画像を符号化するピクセル色データと、
前記マスター等級から第２の等級分け画像を計算するための色変換を指定するパラメータを含むメタデータとを含む符号化された高ダイナミックレンジ画像信号であって、
前記高ダイナミックレンジ画像信号は、前記色変換及び調節パラメータに基づいて決定される結果的共通乗算係数と、結果的色を有するピクセルを含む画像が供給されるディスプレイの表示ピーク明度とを決定することによって、マスター等級のピクセルの入力色から始めてピクセルの前記結果的色を計算するために用いられる当該調節パラメータをさらに含むことを特徴とする、
当該符号化された高ダイナミックレンジ画像信号の前記ピクセル色データ、前記メタデータ、及び前記調節パラメータを含む、メモリ製品。